(57)【要約】      （修正有）【課題】流体を流出方向へ流動することにより、気流の抵抗流もしくは乱気流の発生を下げ、更には流体の流通量を増やして、放熱効果を大幅に高めるファンを提供する。【解決手段】ファンは、少なくともファンフレーム２２及びファンフレームに枢設するプロペラ２１を含む。そのうち、プロペラのプロペラハブ２１１外周は径方向外向きに複数のプロペラ羽根２１２が伸び、且つ二枚のプロペラ羽根の間には引入案内槽を設置する。この引入案内槽２１３は、流体の流入方向に相対する箇所に設置してプロペラハブの外表面に沿ってプロペラハブ内へ入り込む引入部と、引入部２１３１に連接し且つ引入部２１３１よりもプロペラハブ２１１方向へ更に奥へ入り込む案内部を設置する。プロペラが回転して流体が引入部を通って案内部へ吸入される。【選択図】図４
0003130412.tif 000002
【実用新案登録請求の範囲】
【請求項１】
主にプロペラとファンフレームから構成されたファンにおいて、
プロペラハブを具え、そのプロペラハブは、最上面及び環状部を具え、その環状部は、最上面に垂直に連接し、環状部の最上面に連接しない一端は自由端とし、その環状部の外周は径方向外向きに複数のプロペラ羽根が伸び、且つ二枚のプロペラ羽根の間に引入案内槽を設置するプロペラと、
その側面中心箇所にプロペラ台を設置し、そこに前述のプロペラを樞接するファンフレームを含むことを特徴とするファン。
【請求項２】
前記プロペラ台は、複数の凸条でファンフレーム内壁に連接することを特徴とする請求項１記載のファン。
【請求項３】
前記引入案内槽は、流体の流入方向に相対する箇所に設置し、且つプロペラハブの外表面に沿って、プロペラハブ内へスムーズに切り入れる引入部と、その引入部に連接し、その引入部よりプロペラハブ方向へ更に深箇所内に入り込む案内部を含むことを特徴とする請求項１記載のファン。
【請求項４】
前記複数の引入案内槽は、環状部から最上面の一端へ連接して自由端へ連通することを特徴とする請求項１もしくは３記載のファン。
【請求項５】
前記最上面は、平面とすることを特徴とする請求項４記載のファン。
【請求項６】
前記複数の引入案内槽は、各々環状部の自由端から最上面へ連通し、その最上面の中心箇所で集まることを特徴とする請求項１もしくは３記載のファン。
【請求項７】
前記最上面は、凸状に伸びたやや半楕円形とすることを特徴とする請求項６記載のファン。
【考案の詳細な説明】
【技術分野】
【０００１】
本考案は、ファンに関するもので、ファンのプロペラハブに流体を引き入れる効果を具えるものである。
【背景技術】
【０００２】
第１、２図で示すとおり、公知のファンは、プロペラ１１及びファンフレーム１２を含む。上述のプロペラ１１はプロペラハブ１１１を具え、そのプロペラハブ１１１の外周は径方向外向きに複数枚のプロペラ羽根１１２（第３図参照）が伸び、上述のファンフレーム１２は、封閉囲み壁で、そのファンフレーム１２の側に設置した入風口１２３から気体を流入させ、入風口１２３に相対する別側に出風口１２４を設置して気体を流出させる。その出風口１２４の側面中心箇所にはプロペラ台１２１を設置して、そこに上述のプロペラ１１を枢設する。そのプロペラ台１２１は、複数の凸条１２２でファンフレーム１２と相互に接続され、前述のファンフレーム１２の出風口１２４は放熱部品１３と向かい合い、少なくとも一つのネジ１２６をファンフレーム１２辺縁に設置した少なくとも一つ穿孔１２５に差し込み、プロペラ１１とファンフレーム１２を放熱部品１３上に固定する。
【特許文献１】登録実用新案第３０７９３６６号公報
【考案の開示】
【考案が解決しようとする課題】
【０００３】
解決しようとする問題点は、プロペラハブ１１１に於いて、プロペラ羽根１１２の外にその他の流入設計がされておらず、そのため気流が入風口１２３からファンへ流入した時、気流が二枚のプロペラ羽根１１２の間からプロペラハブ１１１表面四箇所に沿って流動し、プロペラハブ１１１表面の流動抵抗力の影響を受けやすく、気流が出風口１２４へ流れる風圧を徐々に下げ、且つプロペラハブ１１１下方の低圧箇所に於いて、回流してしまい、ファンの放熱の効果を下げる点である。
【課題を解決するための手段】
【０００４】
本考案は、少なくともファンフレーム及びファンフレームに枢設するプロペラを含む。そのうち、プロペラのプロペラハブ外周は径方向外向きに複数のプロペラ羽根が伸び、且つ二枚のプロペラ羽根の間には引入案内槽を設置する。この引入案内槽は、流体の流入方向に相対する箇所に設置してプロペラハブの外表面に沿ってプロペラハブ内へ入り込む引入部と、引入部に連接し且つ引入部よりもプロペラハブ方向へ更に奥へ入り込む案内部を設置する。プロペラが回転して流体が引入部を通って案内部へ吸入されることを最も主要な特徴とする。
【考案の効果】
【０００５】
本考案のファンは、流体を流出方向へ流動することにより、気流の抵抗流もしくは乱気流の発生を下げ、更には流体の流通量を増やして、放熱効果を大幅に高めるという利点がある。
【考案を実施するための最良の形態】
【０００６】
本考案の主な目的は、プロペラハブの環状部に二枚のプロペラ羽根の間毎に複数の引入案内槽を設置し、気流ヲ引き入れて引入案内槽に沿って流動させ、気流の抵抗流もしくは乱気流の発生を下げ、更には流体の流動量を高めるものを提供する。
【０００７】
上述の目的ため、本考案プロペラを含み、それはプロペラハブを具える。そのプロペラハブは最上面及び環状部を具え、その環状部は最上面に垂直に連接し、環状部の連接しない最上面の一端は自由端とする。また環状部の外周は径方向外向きに複数のプロペラ羽根が伸び、且つ二枚のプロペラ羽根の間には引入案内槽を設置する。ファンフレームは、その中心箇所にプロペラ台を設置して、そこに前述のプロペラを枢設する。
【実施例】
【０００８】
第４、５図は、本考案の良好な実施例で、プロペラ２１及びファンフレーム２２を含む。上述のファンフレーム２２は、壁で取り囲んだものであるが、これに限るものではない。ファンフレーム２２の壁上には複数の気孔（図未提示）が貫設され、そのファンフレーム２２の中心箇所にはプロペラ台２２１が設置されて複数の凸条２２２でファンフレーム２２内壁まで連接する。ファンフレーム２２内壁とプロペラ台２２１の外周間には出風口２２４が形成され、そこから気体が流出し、出風口２２４反対の別側のファンフレーム２２の内壁には入風口２２３が形成されて気体が流入し、出風口２２４には放熱部品２３を設置し、少なくとも一つの固定部品２２６をファンフレーム２２辺縁の少なくとも一つの穿孔２２５に差し込んでファンフレーム２２を放熱部品２３上に固定する。
【０００９】
上述のプロペラ２１は、プロペラハブ２１１を具え、そのプロペラハブ２１１は、最上面２１１１及び環状部２１１２を含む。その環状部２１１２は、最上面２１１１に垂直連接し、環状部２１１２は最上面２１１１に連接しない一端を自由端とし、環状部２１１２の内側と最上面２１１１の内側は半開放の空間を形成し、そこにモータと回転子を定位する（図未提示）。更に最上面２１１１の内側のやや中心箇所に軸心（図未提示）を設置し、その軸心がプロペラ台２２１で突出する軸筒２２７に可動枢設され、また前述の環状部２１１２外周の径方向外向きに複数枚のプロペラ羽根２１２が放射状に設置され、また複数個の引入案内槽２１３を設置する。
【００１０】
第４、６図に示すとおり、上述の各引入案内槽２１３は、二枚のプロペラ羽根２１２の間にそれぞれ設置する。また本考案実施に於いて、上述の最上面２１１１は平面とし、引入案内槽２１３は、環状部２１１２から最上面２１１１の一端に連接して自由端へ連通し、且つその引入案内槽２１３は、引入部２１３１及び案内部２１３２を含む。そのうち引入部２１３１は、流体の流入方向に相対する箇所に設置し、プロペラハブ２１１の外表面に沿ってプロペラハブ２１１内へ入り、案内部２１３２は、引入部２１３１に連通して更に引入部２１３１よりプロペラハブ２１１への更に深い箇所へ入り込む。
【００１１】
プロペラ２１が回転してプロペラハブ２１１側に近い流体（第6図中点線で表示）が引入部２１３１を通って吸入される。そして案内部２１３２まで流動した後、案内部２１３２に沿って流出方向から出風口２２４の放熱部品２３へ流動し（第４図参照）、プロペラハブ２１１側の気流の抵抗流もしくは乱気流の発生を下げ、更に二枚のプロペラ羽根２１２の間を通過する気流の量を増やし、且つ気流を直接ファンへ流し、風圧の低下を防止し、放熱効果を大幅に高める。
【００１２】
上述の実施例は、時計回りに回転するプロペラを表示しているが、それに限らない。例として第７図所示は時計と逆回りに回転するプロペラで、本考案の範囲に含まれる。
【００１３】
別に第８、９に示すとおり、上述のプロペラハブ２１１の最上面３１１１が別実施例で突出した半楕円形状で、その引入案内槽２１３はそれぞれ環状部２１１２の自由端から最上面３１１１へ連通し、最上面３１１１の中心箇所もしくはやや中心箇所に集まり、上述の効果を発する。
【００１４】
本考案は、公開及び使用が未見であり、実用新案に符合するため、申請する。
以上は、本考案の良好な実施例に過ぎず、本考案を制限するものではない。本考案の構想に基づく変更は、本考案の範囲に属し、例として構造形状もしくは形態に変更設置したもの、各種の変化、修飾と応用、それに発する効果作用は、すべて本考案の範囲とすることを明記する。
【図面の簡単な説明】
【００１５】
【図１】公知のファン立体分解図である。
【図２】公知のファン立体組立図である。
【図３】公知のプロペラ上視図である。
【図４】本考案実施例のファンと放熱器組接の立体分解図である。
【図５】本考案実施例のファンと放熱器組接の立体組立図である。
【図６】本考案実施例のプロペラの上視図である。
【図７】本考案実施例の別一種プロペラの上視図である。
【図８】本考案別実施例のプロペラの上視図である。
【図９】本考案別実施例のプロペラの正視図である。
【符号の説明】
【００１６】
１１        プロペラ
１１１        プロペラハブ
１１２        プロペラ羽根
１２        ファンフレーム
１２１        プロペラ台
１２２        凸条
１２３        入風口
１２４        出風口
１２５        穿孔
１２６        ネジ
１３        放熱部品
２１        プロペラ
２１１        プロペラハブ
２１１１        最上面
２１１２        環状部
２１２        プロペラ羽根
２１３        引入案内槽
２１３１        引入部
２１３２        案内部
２２        ファンフレーム
２２１        プロペラ台
２２２        凸条
２２３        入風口
２２４        出風口
２２５        穿孔
２２６        固定部品
２２７        軸筒
２３        放熱部品
３１１１        最上面
【図１】
0003130412.tif 000003
【図２】
0003130412.tif 000004
【図３】
0003130412.tif 000005
【図４】
0003130412.tif 000006
【図５】
0003130412.tif 000007
【図６】
0003130412.tif 000008
【図７】
0003130412.tif 000009
【図８】
0003130412.tif 000010
【図９】
0003130412.tif 000011
【手続補正書】
【提出日】平成19年1月22日(2007.1.22)
【手続補正１】
【補正対象書類名】実用新案登録請求の範囲
【補正対象項目名】請求項１
【補正方法】変更
【補正の内容】
【請求項１】
主にプロペラとファンフレームから構成されたファンにおいて、
プロペラハブを具え、そのプロペラハブは、最上面及び環状部を具え、その環状部は、最上面に垂直に連接し、環状部の最上面に連接しない一端は自由端とし、その環状部の外周は径方向外向きに複数のプロペラ羽根が伸び、且つ二枚のプロペラ羽根の間に引入案内槽を設置するプロペラと、
その側面中心箇所にプロペラ台を設置し、そこに前述のプロペラを枢設するファンフレームを含むことを特徴とするファン。
【手続補正２】
【補正対象書類名】明細書
【補正対象項目名】０００６
【補正方法】変更
【補正の内容】
【０００６】
本考案の主な目的は、プロペラハブの環状部に二枚のプロペラ羽根の間毎に複数の引入案内槽を設置し、気流を引き入れて引入案内槽に沿って流動させ、気流の抵抗流もしくは乱気流の発生を下げ、さらには流体の流動量を高めるものを提供する。